(57)【要約】【課題】異物をかみ込む事態を招来することなく過剰な泡立ちを抑えて飲料の注出を行うこと。【解決手段】容器Ｇを載置する容器載置台６０をモータカバー１７に対して傾動可能に配設するとともに、モータカバー１７から突出する態様でアーム部材５３を揺動可能に配設し、飲料を注出する間にアーム部材５３を容器載置台６０に当接させることにより容器載置台６０を介して容器Ｇを傾斜させるようにした飲料ディスペンサにおいて、揺動するアーム部材５３の移動領域６３を覆う態様で容器載置台６０にカバー部材６２を配設している。【選択図】        図７
2006062726.tif 000002
【特許請求の範囲】
【請求項１】
容器を載置する容器載置台を支持部材に対して傾動可能に配設するとともに、支持部材から突出する態様でアーム部材を揺動可能に配設し、飲料を注出する間にアーム部材を容器載置台に当接させることにより容器載置台を介して容器を傾斜させるようにした飲料ディスペンサにおいて、
揺動するアーム部材の移動領域を覆う態様でカバー部材を配設したことを特徴とする飲料ディスペンサ。
【請求項２】
容器を載置する容器載置台を支持部材に対して傾動可能に配設するとともに、支持部材から突出する態様でアーム部材を揺動可能に配設し、飲料を注出する間にアーム部材を容器載置台に当接させることにより容器載置台を介して容器を傾斜させるようにした飲料ディスペンサにおいて、
アーム部材は、揺動軸に直交する方向に沿って延在する平板状を成し、少なくとも支持部材から突出する先端部分においては先端から揺動軸心に向けて漸次幅が広くなる外形形状を有することを特徴とする飲料ディスペンサ。
【請求項３】
容器を載置する容器載置台を支持部材に対して傾動可能に配設するとともに、支持部材から突出する態様でアーム部材を揺動可能に配設し、飲料を注出する間にアーム部材を容器載置台に当接させることにより容器載置台を介して容器を傾斜させるようにした飲料ディスペンサにおいて、
アーム部材と支持部材の外表面との交叉角度を拡大させる方向に向けて支持部材の外表面を退行形成したことを特徴とする飲料ディスペンサ。
【請求項４】
アーム部材の表面を樹脂材料で覆ったことを特徴とする請求項１〜３のいずれか一つに記載の飲料ディスペンサ。
【発明の詳細な説明】
【技術分野】
【０００１】
本発明は、飲料ディスペンサに関するものである。
【背景技術】
【０００２】
従来より、ビール等の発泡性飲料を注出する飲料ディスペンサの中には、過剰な泡立ちを抑えるべく飲料を注出している間に容器を傾斜させるようにしたものがある。この種の飲料ディスペンサとしては、ディスペンサ本体に容器載置台及びアーム部材を備えるものがある。容器載置台は、例えば背板と載置板とを有して側面視が略Ｌ字状となるように構成されたものであり、背板の上部に設けた傾動軸を介して支持部材に傾動可能に配設されている。アーム部材は、モータ等の駆動源によって揺動し、先端部を介して容器載置台を押圧することにより、容器載置台を介して容器を傾斜させるためのものである。
【０００３】
この飲料ディスペンサでは、アーム部材の先端を容器載置台の背板に適宜押圧させることにより、例えば飲料を注出する初期の間には容器を比較的大きく傾斜させる一方、飲料の注出に伴って漸次傾斜角度を小さくし、注出の終了間際に容器がほぼ直立となるように容器載置台の傾動状態を変化させれば、注出する飲料が容器の側面に当たることになり、飲料が過剰に泡立つことを防止することができる（例えば、特許文献１参照）。
【０００４】
【特許文献１】特開２００１−２６１０９８号公報
【発明の開示】
【発明が解決しようとする課題】
【０００５】
ところで、上記のような飲料ディスペンサでは、アーム部材の移動領域に異物が挿入された状態でアーム部材が揺動した場合、アーム部材とディスペンサ本体との間に異物がかみ込まれることになり、異物を損傷させる虞れがあるばかりでなく、容器を傾斜させるための機構に損傷を来す虞れがある。
【０００６】
本発明は、上記実情に鑑みて、異物をかみ込む事態を招来することなく過剰な泡立ちを抑えて飲料の注出を行うことのできる飲料ディスペンサを提供することを目的とする。
【課題を解決するための手段】
【０００７】
上記の目的を達成するために、本発明の請求項１に係る飲料ディスペンサは、容器を載置する容器載置台を支持部材に対して傾動可能に配設するとともに、支持部材から突出する態様でアーム部材を揺動可能に配設し、飲料を注出する間にアーム部材を容器載置台に当接させることにより容器載置台を介して容器を傾斜させるようにした飲料ディスペンサにおいて、揺動するアーム部材の移動領域を覆う態様でカバー部材を配設したことを特徴とする。
【０００８】
また、本発明の請求項２に係る飲料ディスペンサは、容器を載置する容器載置台を支持部材に対して傾動可能に配設するとともに、支持部材から突出する態様でアーム部材を揺動可能に配設し、飲料を注出する間にアーム部材を容器載置台に当接させることにより容器載置台を介して容器を傾斜させるようにした飲料ディスペンサにおいて、アーム部材は、揺動軸に直交する方向に沿って延在する平板状を成し、少なくとも支持部材から突出する先端部分においては先端から揺動軸心に向けて漸次幅が広くなる外形形状を有することを特徴とする。
【０００９】
また、本発明の請求項３に係る飲料ディスペンサは、容器を載置する容器載置台を支持部材に対して傾動可能に配設するとともに、支持部材から突出する態様でアーム部材を揺動可能に配設し、飲料を注出する間にアーム部材を容器載置台に当接させることにより容器載置台を介して容器を傾斜させるようにした飲料ディスペンサにおいて、アーム部材と支持部材の外表面との交叉角度を拡大させる方向に向けて支持部材の外表面を退行形成したことを特徴とする。
【００１０】
また、本発明の請求項４に係る飲料ディスペンサは、上述した請求項１〜３のいずれか一つにおいて、アーム部材の表面を樹脂材料で覆ったことを特徴とする。
【発明の効果】
【００１１】
本発明の請求項１に係る飲料ディスペンサによれば、揺動するアーム部材の移動領域を覆う態様でカバー部材を配設しているため、アーム部材の移動領域に異物が挿入されてこれをかみ込む事態を招来する虞れがない。
【００１２】
また、本発明の請求項２に係る飲料ディスペンサによれば、少なくとも支持部材から突出する先端部分においては先端から揺動軸心に向けて漸次幅が広くなる外形形状を有するようにアーム部材を形成しているため、その他の形状のアーム部材を適用する場合に比べてアーム部材と支持部材の外表面との交叉角度が大きくなり、異物をかみ込む虞れがなくなる。
【００１３】
また、本発明の請求項３に係る飲料ディスペンサによれば、アーム部材と支持部材の外表面との交叉角度を拡大させる方向に向けて支持部材の外表面を退行形成しているため、アーム部材と支持部材の外表面との交叉角度が大きくなり、異物をかみ込む虞れがなくなる。
【発明を実施するための最良の形態】
【００１４】
以下に添付図面を参照して、本発明に係る飲料ディスペンサの好適な実施の形態を詳細に説明する。
【００１５】
図１は、本発明の実施の形態である飲料ディスペンサを示す概略側断面図である。ここで例示する飲料ディスペンサは、飲料として発泡性飲料であるビールや発泡酒を提供するもので、飲料樽３１およびガスボンベ３３を接続して用いる。飲料樽３１は、例えば内部にビールを充填したもので、バルブ手段３６および飲料供給通路３２を介して後述の飲料配管２３に接続してある。ガスボンベ３３は、内部に炭酸ガスを封入したもので、ガス供給通路３４、３５および図示せぬ調圧手段を通過した後、バルブ手段３６を介して飲料樽３１に接続してある。バルブ手段３６は、いわゆるディスペンスヘッドと称されるもので、例えば注出モードになった場合、ガスボンベ３３に封入してある炭酸ガスを飲料樽３１の内部に送り込み、内部圧力を増加させることによって飲料樽３１に充填してあるビールを飲料配管２３の内部に送り込むように機能する。
【００１６】
図１に示すように、この飲料ディスペンサは、ディスペンサ本体１０を備えている。ディスペンサ本体１０は、複数の外装パネル１５によって箱状に構成したもので、下部に機械室１１を備える一方、上部に冷却室２０を備えている。
【００１７】
機械室１１は、その内部にコンプレッサ１２、熱交換器１３および送風機１４を収容するためのものである。これらコンプレッサ１２、熱交換器１３および送風機１４は、後述する冷媒配管２２をエバポレータとした冷却ユニット（冷凍サイクル）１６を構成するものである。
【００１８】
冷却室２０は、内部に断熱空間を備えている。断熱空間は、外装パネル１５の内側に断熱部材２１を配設することによって構成したものである。断熱空間の内部には、冷却水２５が貯留してあり、さらにこの冷却水２５に浸漬するように冷媒配管２２および飲料配管２３がそれぞれコイル状に配設してある。断熱空間の冷却水２５は、アジテータ２４によって適宜撹拌された状態となる。
【００１９】
ディスペンサ本体１０には、外装パネル１５から突出する態様で飲料注出手段４１が設けてある。飲料注出手段４１は、注出バルブ４２とバルブ駆動手段４３とを備えて構成したものである。注出バルブ４２は、飲料注出口４２ｂと泡注出口４２ｃとを有し、注出レバー４２ｄを傾倒操作することにより、飲料注入口４２ａを経て供給された飲料配管２３の飲料を飲料注出口４２ｂもしくは泡注出口４２ｃから注出するものである。バルブ駆動手段４３は、図示せぬアクチュエータによって注出レバー４２ｄを傾倒操作することにより、飲料注出口４２ｂからの飲料の注出、あるいは泡注出口４２ｃからの泡の注出を行うものである。
【００２０】
飲料注出手段４１の下方には、図２および図３に示すように、外装パネル１５の前面に支持部材となるモータカバー１７が配設してある。モータカバー１７は、図４および図５に示すように、その内部に駆動ユニット５０を収容するためのものである。駆動ユニット５０は、後述の容器載置台６０を傾動させるためのもので、例えばモータ等の駆動源５１と、駆動源５１によって駆動される出力軸（揺動軸）５１ａと、出力軸５１ａに固着したアーム部材５３とを備えて構成してあり、出力軸５１ａがほぼ水平となる態様でブラケット５２を介して外装パネル１５に取り付けてある。
【００２１】
アーム部材５３は、出力軸５１ａに直交する方向に沿って延在する平板状を成すもので、その先端部がモータカバー１７に形成したスリット１９を通じて外部に突出している。アーム部材５３の先端部には、ガイドローラ５５が回転可能に支持させてある。図には明示していないが、アーム部材５３の表面には、塩化ビニル、あるいはポリエチレンなどの樹脂材料によるコーティングが施してある。
【００２２】
一方、モータカバー１７には、上面１７ａの両側端部に設けた腕部５６を介して容器載置台６０が取り付けてある。容器載置台６０は、飲料注出口４２ｂから注出する飲料を受容するための紙コップ、グラス、ジョッキなどの容器Ｇを載置するもので、図２および図３に示すように、背板６０ｂ、側板６０ｃ、６０ｄおよび載置板６０ｇで構成してある。背板６０ｂと側板６０ｃ、６０ｄとは、横断面が略コ字状で縦長に形成し、容器Ｇの周囲の一部を囲む態様で配設してある。また、載置板６０ｇは、側板６０ｃ、６０ｄの下部に取り付けてあり、背板６０ｂの下部から前方に向けて直角方向に突出する態様で配設してある。
【００２３】
背板６０ｂの上部には、傾動ピン６１を挿通させた傾動筒部６０ａが形成してある。容器載置台６０は、この傾動筒部６０ａの傾動ピン６１を腕部５６の傾動孔５６ａに挿通させることにより、傾動ピン６１を中心に水平軸回りに傾動可能な状態で腕部５６に取り付けてある。
【００２４】
背板６０ｂの一方の面には、容器Ｇの側面の一部が接触する容器受部６０ｅが配設してあり、背板６０ｂの他方の面には、ガイドローラ５５が接触するストッパ部６０ｆが配設してある。側板６０ｃ、６０ｄには、容器Ｇの大きさに対応して載置板６０ｇの上下方向の位置を変更するための複数の取付孔６０ｈが上下方向に沿って２列に配設してある。
【００２５】
上記のように構成した容器載置台６０は、上述した駆動ユニット５０の駆動によって傾動し、載置板６０ｇに載置させた容器Ｇを傾斜させる。すなわち、駆動ユニット５０では、初期状態にある場合、アーム部材５３が、図４および図６に示すように、下方に向けて漸次外装パネル１５から離隔する態様で傾斜配置される。この場合、容器載置台６０は、背板６０ｂがほぼ垂直となる状態に維持されることになり、載置板６０ｇに載置させた容器Ｇもほぼ直立した状態となる。
【００２６】
この状態から駆動ユニット５０の駆動源５１が駆動すると、アーム部材５３が、図４および図６において出力軸５１ａを中心として予め設定した角度だけ時計回りに揺動し、図７に示すように、上昇位置に至る。アーム部材５３が初期状態から上昇位置に至る間、ガイドローラ５５によって押圧される容器載置台６０は、傾動ピン６１を中心として載置板６０ｇが上方に向かうように傾動することになり、載置板６０ｇに載置させた容器Ｇが傾斜配置されることになる。従って、この状態から容器Ｇに対して飲料の注出を行えば、注出する飲料が容器Ｇの側面に当たることになり、飲料が過剰に泡立つことを防止することができるようになる。
【００２７】
その後、駆動ユニット５０の駆動源５１を逆方向に駆動すると、アーム部材５３は、出力軸５１ａを中心として反時計回りに揺動し、再び図４および図６に示した初期状態に復帰することになる。
【００２８】
ここで、上述した動作の間、揺動するアーム部材５３とモータカバー１７の前面との間に開閉する隙間が画成されることになり、またモータカバー１７と容器載置台６０の背板６０ｂとの間にも開閉する隙間が画成されることになる。従って、これらの隙間に異物が挿入された状態でアーム部材５３が揺動した場合、異物を損傷させる虞れがあるばかりでなく、駆動ユニット５０に損傷を来す虞れがある。
【００２９】
そこで、本実施の形態の飲料ディスペンサでは、容器載置台６０の両側に位置する側板６０ｃ、６０ｄにそれぞれカバー部材６２を設けるとともに、アーム部材５３において少なくともモータカバー１７から突出する先端部を湾曲状に構成し、さらにモータカバー１７において前面の下方に位置する部位に傾斜平面１７ｆを構成している。
【００３０】
カバー部材６２は、図２に示すように、容器載置台６０の側板６０ｃ、６０ｄからモータカバー１７の両側を覆う態様で突出した平板状部材である。このカバー部材６２は、容器載置台６０の背板６０ｂがほぼ直立状態となっている場合、並びに図７に示すように、アーム部材５３が上昇位置となって容器載置台６０が大きく傾斜した場合のいずれであっても、アーム部材５３の両側面に対向する部分を覆うに十分な大きさに構成してある。つまり、カバー部材６２は、アーム部材５３の揺動による移動領域６３を覆うように構成してある。また、図２に示すように、このカバー部材６２は、容器載置台６０の背板６０ｂがほぼ直立状態となった場合に外装パネル１５に対向する先端面が外方に向けて凸となる態様で湾曲した湾曲部６２ａを有している。
【００３１】
アーム部材５３は、図４に示すように、中央部から両端に向けてそれぞれ漸次幅が狭くなるように外形を外向きの湾曲形状としており、図８に示すように、単純に矩形状に形成したアーム部材５３に比べてモータカバー１７の前面との交叉角度が増大する傾向となる。尚、アーム部材５３とモータカバー１７の前面との交叉角度とは、アーム部材５３の外形においてモータカバー１７との交点における接線とモータカバー１７との交叉角度である。
【００３２】
モータカバー１７の傾斜平面１７ｆは、上述した初期状態にあるアーム部材５３との交叉角度を拡大させるべく、図９に示すように、下方に向けて漸次外装パネル１５に近接する方向に向けて退行する態様で傾斜させたものである。
【００３３】
上記のように構成した飲料ディスペンサによれば、容器載置台６０を介して容器Ｇを傾斜させながら飲料の注出を行っている間、アーム部材５３の移動領域６３がカバー部材６２によって覆われることになるため、揺動するアーム部材５３とモータカバー１７の前面との間の隙間に異物が挿入される事態を未然に防止することができ、異物をかみ込む虞れもなくなる。
【００３４】
また、モータカバー１７と容器載置台６０の背板６０ｂとの間の隙間もその側方の開口がほとんどカバー部材６２によって覆われるため、これらの間に異物をかみ込む事態を防止することができるようになる。仮に、カバー部材６２とモータカバー１７との間に異物が存在していたとしても、上述したように、カバー部材６２の湾曲部６２ａを外方に向けて凸となるように湾曲させ、さらにはモータカバー１７に傾斜平面１７ｆが形成してあるため、カバー部材６２の先端面を直線状に構成した場合、あるいはモータカバー１７の前面を傾斜させない場合に比べて、両者の間の交叉角度が大きなものとなり、隙間が狭くなる方向に向けてカバー部材６２が移動した場合、異物が両者間から吐き出されるようになる。従って、異物をかみ込む虞れがなくなり、駆動ユニット５０に損傷を来す事態が発生することもない。
【００３５】
尚、上述した実施の形態では、容器載置台６０にのみカバー部材６２を設けるようにしているが、支持部材となるモータカバー１７、もしくは支持部材となるディスペンサ本体１０にのみカバー部材を設けるようにしても良いし、容器載置台６０と支持部材との両者にそれぞれカバー部材を設けるようにしても構わない。
【００３６】
また、上述した実施の形態では、支持部材であるモータカバー１７の下端部に傾斜平面１７ｆを設けるようにしているが、必ずしも傾斜平面１７ｆである必要はなく、例えば図１０に示すように、支持部材であるモータカバーの下端部に下方に向けて漸次ディスペンサ本体に近接する態様で湾曲させるようにしても良い。この場合にも、湾曲した部分の外表面がアーム部材と支持部材の外表面との交叉角度を拡大させる方向に向けて退行形成してあるため、同様の作用効果を期待することが可能である。
【００３７】
さらに、上述した実施の形態では、アーム部材５３の表面に樹脂材料によるコーディングを施してあるため、アーム部材５３の接触によって異物等に損傷を来す事態を防止することができる。
【図面の簡単な説明】
【００３８】
【図１】本発明の実施の形態である飲料ディスペンサの概略図である。
【図２】図１に示した飲料ディスペンサが備える容器載置台の側面図である。
【図３】図１に示した飲料ディスペンサが備える容器載置台の平面図である。
【図４】図１に示した飲料ディスペンサが備えるモータカバーの内部を示す側面図である。
【図５】図１に示した飲料ディスペンサが備えるモータカバーの内部を示す正面図である。
【図６】図１に示した飲料ディスペンサの初期状態を示す断面側面図である。
【図７】図１に示した飲料ディスペンサの傾斜状態を示す断面側面図である。
【図８】この発明に係る飲料ディスペンサが備えるアーム部材とディスペンサ本体の外表面との交叉角度を示す側面図である。
【図９】この発明に係る飲料ディスペンサが備えるアーム部材とディスペンサ本体の外表面との交叉角度を示す側面図である。
【図１０】図１に示した飲料ディスペンサのモータカバーの別の例を示す断面側面図である。
【符号の説明】
【００３９】
１０      ディスペンサ本体
１５      外装パネル
１７      モータカバー
１７ａ      上面
１７ｆ      傾斜平面
３１      飲料樽
３２      飲料供給通路
３３      ガスボンベ
５０      駆動ユニット
５１      駆動源
５３      アーム部材
６０      容器載置台
６２    カバー部材
６３      移動領域
Ｇ      容器
【図１】
2006062726.tif 000003
【図２】
2006062726.tif 000004
【図３】
2006062726.tif 000005
【図４】
2006062726.tif 000006
【図５】
2006062726.tif 000007
【図６】
2006062726.tif 000008
【図７】
2006062726.tif 000009
【図８】
2006062726.tif 000010
【図９】
2006062726.tif 000011
【図１０】
2006062726.tif 000012